(57)【要約】【課題】基準面に対して傾きを生じないように、電気部品をハウジング内に正しく位置決めできる電気部品用ソケット装置の提供。【解決手段】基板５に取付けられ、カメラモジュール１の接触部１ａが接続されるコンタクト端子２ａを有し、カメラモジュール１が装着されるハウジング２を備えると共に、カメラモジュール１の上側部分に形成されたカメラ部１ｂが挿通する開口３ａと、カメラモジュール１のカメラ部１ｂを除く上面部分１ｃを押圧する脚部３ｂを有する中間部材３を備え、この中間部材３が押圧されることにより、この中間部材３の４つの脚部３ｂのそれぞれが、対応するカメラモジュール１の４個所の上面部分１ｃを押圧して、カメラモジュール１をハウジング３内に装着する構成にしてある。【選択図】図２
2005339830.tif 000002
【特許請求の範囲】
【請求項１】
基板に取付けられ、電気部品の接触部が接続されるコンタクト端子を有し、上記電気部品が装着されるハウジングを備えると共に、
上記電気部品に形成された突出部が挿通する開口と、上記電気部品の上記突出部を除く上面部分を押圧する押圧部とを有する中間部材を備え、
上記中間部材が押圧されることにより、この中間部材の上記押圧部が上記電気部品の上記上面部分を押圧して、上記電気部品を上記ハウジング内に装着することを特徴とする電気部品用ソケット装置。
【請求項２】
上記請求項１記載の発明において、
上記中間部材が金属部材から成り、接地されることを特徴とする電気部品用ソケット装置。
【請求項３】
上記請求項２記載の発明において、
上記中間部材の上記押圧部が、上記開口の周縁に折曲げ形成された複数の脚部から成ることを特徴とする電気部品用ソケット装置。
【請求項４】
上記請求項１記載の発明において、
上記電気部品がカメラモジュールであることを特徴とする電気部品用ソケット装置。
【請求項５】
上記請求項１記載の発明において、
弾性部材を介して上記中間部材の上記押圧部が押圧されることを特徴とする電気部品用ソケット装置。
【請求項６】
上記請求項５記載の発明において、
上記弾性部材が板体から成り、上記電気部品の突出部が挿通する開口を有することを特徴とする電気部品用ソケット装置。
【請求項７】
上記請求項１記載の発明において、
上記基板が取付けられる筐体を備え、この筐体が上記中間部材を押圧する押圧部材を有することを特徴とする電気部品用ソケット装置。
【請求項８】
上記請求項７記載の発明において、
上記筐体は、上記ハウジングに装着された上記電気部品の上記突出部に対向する位置に透明窓を有することを特徴とする電気部品用ソケット装置。
【発明の詳細な説明】
【技術分野】
【０００１】
本発明は、電気部品が装着されるハウジング内に、電気部品に形成される接触部と接続されるコンタクト端子を備えた電気部品用ソケット装置に関する。
【背景技術】
【０００２】
この種の従来技術として、特許文献１，２に記載の技術がある。図６は特許文献１に示される第１従来技術において電気部品組み込み時の状態を示す縦断面図、図７は特許文献２に示される第２従来技術において電気部品組み込み時の状態を示す縦断面図である。
【０００３】
図６に示す従来技術は、プリント配線板すなわち基板１４に取付けられ、内側部にコンタクト端子１３を有する枠体すなわちハウジング１２に、ＩＣ回路を内蔵し、コンタクト端子１３に接続される端子すなわち接触部１１を有する電気部品１０を装着させるようにしたものである。
【０００４】
図７に示す第２従来技術は、図示しない基板上に配置され、内側部にコンタクト端子２４を有するソケットベースすなわちハウジング２３に、ＩＣ素子２０が保持され、コンタクト端子２４に接続されるＩＣ素子２０のリード２２を有するキャリヤ、すなわち電気部品２１を装着させると共に、この電気部品２１を装着させる際に、コンタクト端子２４に形成した係止部２５で電気部品２１を係止させる構成にしたものである。
【特許文献１】特許第２６００８１６号公報
【特許文献２】特開平５−６２７４９号公報
【発明の開示】
【発明が解決しようとする課題】
【０００５】
図６に示す第１従来技術では、電気部品１０をハウジング１２に装着させる際に、電気部品１０に傾きを生じる懸念がある。すなわち、基板１４の上面を基準面としたときに、電気部品１０が基準面に対して傾いた状態でハウジング１２に取付けられてしまうことが起こり得る。
【０００６】
図７に示す第２従来技術は、係止部２５によって電気部品２１の上面が係止されることにより、ＩＣ素子２０のリード２２とハウジング２３のコンタクト端子２４の接続を良好に維持し得る。しかしながら、上述した第１従来技術におけるのと同様に、電気部品２１をハウジング２３に装着させる際に電気部品２１に傾きを生じたときに、その傾き、すなわち基準面に対する傾きを修正する機能を有さず、したがって、電気部品２１が基準面に対して傾いた状態でハウジング２３に取付けられたままとなることが起こり得る。
【０００７】
上述したような電気部品１０，２１の基準面に対する傾きは、これらの電気部品１０，２１が例えばカメラモジュールであるときには、撮影性能の低下を招いてしまう。すなわち、カメラモジュールに備えられるカメラ部の光軸が基準面に対して傾いてしまっているので、写真をうまく取れなくなる虞がある。
【０００８】
本発明は、上述した従来技術における実状からなされたもので、その目的は、基準面に対して傾きを生じないように、電気部品をハウジング内に正しく位置決めできる電気部品用ソケット装置を提供することにある。
【課題を解決するための手段】
【０００９】
上記目的を達成するために、本発明は、基板に取付けられ、電気部品の接触部が接続されるコンタクト端子を有し、上記電気部品が装着されるハウジングを備えると共に、上記電気部品に形成された突出部が挿通する開口と、上記電気部品の上記突出部を除く上面部分を押圧する押圧部とを有する中間部材を備え、上記中間部材が押圧されることにより、この中間部材の上記押圧部が上記電気部品の上記上面部分を押圧して、上記電気部品を上記ハウジング内に装着することを特徴としている。
【００１０】
このように構成した本発明は、電気部品をハウジングに装着させる際に、中間部材が押圧されることにより、この中間部材の押圧部が電気部品の上面部分を押圧する。したがって、中間部材の押圧部を、電気部品が基板などの基準面に対して正しい位置に配置されるようにこの電気部品を動かす押圧力を与え得るように形成することにより、電気部品をハウジング内に装着させたときに中間部材の押圧部を介して、基準面に対して傾きを生じないように電気部品をハウジング内に位置決めできる。この状態においては、電気部品の接触部とハウジングのコンタクト端子とが接続され、これらの接触部とコンタクト端子を介してデータの送受信が可能となる。
【００１１】
また本発明は、上記発明において、上記中間部材が金属部材から成り、接地されることを特徴としている。このように構成した本発明は、ハウジング内に装着される電気部品の電気的保護を実現できる。
【００１２】
また本発明は、上記発明において、上記中間部材の上記押圧部が、上記開口の周縁に折曲げ形成された複数の脚部から成ることを特徴としている。このように構成した本発明は、開口の形成に関連させて、例えば開口と同時に脚部を形成でき、中間部材の製作が容易である。また、複数の脚部を電気部品の上面部分の周方向に対して例えば等間隔に配置でき、このようにすれば安定した押圧力を電気部品に与えることができる。
【００１３】
また本発明は、上記発明において、上記電気部品がカメラモジュールであることを特徴としている。このように構成した本発明は、基準面に対してカメラモジュールに備えられるカメラ部の光軸を傾きを生じることなく位置させることができ、精度の高い撮影性能を確保できる。
【００１４】
また本発明は、上記発明において、弾性部材を介して上記中間部材の上記押圧部が押圧されることを特徴としている。このように構成した本発明は、電気部品がハウジングに組み込まれた状態において、振動や衝撃が与えられた場合に、これらの振動や衝撃を弾性部材で吸収でき、これらの振動や衝撃からの電気部品、及び電気接続部分の保護を実現できる。
【００１５】
また本発明は、上記発明において、上記弾性部材が板体から成り、上記電気部品の突出部が挿通する開口を有することを特徴としている。このように構成した本発明は、板体の厚さを必要最小限に設定することにより、電気部品の突出部の延設方向に沿う方向の寸法の増加を抑えることができる。
【００１６】
また本発明は、上記発明において、上記基板が取付けられる筐体を備え、この筐体が上記中間部材を押圧する押圧部材を有することを特徴としている。このように構成した本発明は、筐体に対しても電気部品が傾くことなく配置できる。
【００１７】
また本発明は、上記発明において、上記筐体は、上記ハウジングに装着された上記電気部品の上記突出部に対向する位置に透明窓を有することを特徴としている。このように構成した本発明は、塵埃や異物の侵入を透明窓によって防止でき、これらの塵埃や異物からの電気部品、及び電気接続部分の保護を実現できる。
【発明の効果】
【００１８】
本発明は、基準面に対して傾きを生じないように電気部品をハウジング内に正しく位置決めでき、ハウジングへの電気部品装着精度を従来よりも高めることができる。
【発明を実施するための最良の形態】
【００１９】
以下，本発明に係る電気部品用ソケット装置を実施するための最良の形態を図に基づいて説明する。
【００２０】
図１は本発明に係る電気部品用ソケット装置の第１実施形態を示す分解斜視図、図２は本発明の第１実施形態の縦断面図、図３は本発明の第１実施形態に備えられる中間部材を示す図で、（ａ）図は斜視図、（ｂ）図は平面図、（ｃ）図は側面図、（ｄ）図は裏面図である。
【００２１】
図１，２に示すように、本発明の第１実施形態には、電気部品として例えばカメラモジュール１が装着されるようになっている。このカメラモジュール１は、図示下方端部に電気接続に活用される複数の接触部１ａを有し、図示上面側に突出部を形成するカメラ部１ｂを備えている。
【００２２】
カメラモジュール１が装着されるハウジング２の内側部には、カメラモジュール１の接触部１ａのそれぞれと接続される複数のコンタクト端子２ａを有している。このハウジング２は図２に示すように、基板５に取り付けられている。カメラモジュール１の図示上方位置には、中間部材３を配置してある。この中間部材３は、例えば金属部材から成り、図３に示すように、カメラモジュール１のカメラ部１ｂが挿通する開口３ａと、カメラモジュール１のカメラ部１ｂを除く４個所の上面部分１ｃをそれぞれ押圧する押圧部、例えば開口３ａの周縁に折曲げ形成された複数、すなわち４つの脚部３ｂとを有する。脚部３ｂのそれぞれは、開口３ａの周縁に沿って例えば９０度の等間隔で形成されている。この中間部材３の側面には図１に示すように、ハウジング２の側面に形成した突起２ｂが挿入される長穴３ｃを形成してある。この長穴３ｃは、その下縁部がハウジング２の突起２ｂに係合することにより中間部材３の抜け止めを防止する。また、この長穴３ｃによって筐体４で押圧された際の中間部材３の上下方向の移動を許容させている。さらに、中間部材３が長穴３ｃの縁部を介してハウジング２の突起２ｂに係合することにより、接地されている。
【００２３】
図１，２に示すように、中間部材３を含めて全体を包含するように、外殻を形成する筐体４を備えている。前述した図２に示す基板５は、この筐体４に取付けられている。また、この筐体４は、ハウジング３に装着されたカメラモジュール１のカメラ部１ｂに対向する位置にガラス等の透明体から成る透明窓４ａを備え、図示下側部分に、中間部材３を押圧する例えば円環状の押圧部材４ｂを備えている。
【００２４】
このように構成される第１実施形態において、カメラモジュール１をハウジング２に装着するに際しては、例えばカメラモジュール１の接触部１ａのそれぞれとハウジング２のコンタクト端子２ａのそれぞれが適合するように、カメラモジュール１をハウジング２内に概ね収容し、このカメラモジュール１の上に中間部材３を、この中間部材３の脚部３ｂのそれぞれがカメラモジュール１の４個所の上面部分１ｃのそれぞれに係合するように配置し、さらに中間部材３を囲むように筐体４を配置する。
【００２５】
この状態で例えば筐体４を押圧すると、この筐体４の押圧部材４ｂが中間部材３を押圧し、これに伴って中間部材３の脚部３ｂのそれぞれがカメラモジュール１の対応する上面部分１ｃのそれぞれを押圧する。これらの動作により、カメラモジュール１の４つの上面部分１ｃにほぼ均等な押圧力が与えられて、カメラモジュール１はハウジング２内の所定位置に装着される。
【００２６】
このようにカメラモジュール１内にハウジング２が装着された状態にあっては、カメラモジュール１の接触部１ａのそれぞれがハウジング２の対応するコンタクト端子２ａに接続され、これらの接触部１ａ及びコンタクト端子２ａを介してデータの送受信が可能となる。
【００２７】
この第１実施形態によれば、上述のように、カメラモジュール１をハウジング２に装着させた際に、中間部材３の脚部３ｂを介して基準面、例えば基板５の上面に対して傾きを生じないようにカメラモジュール１をハウジング２内に正しく位置決めでき、ハウジング２のカメラモジュール１に対する装着精度を高めることができる。したがって、基準面すなわち基板５の上面に対してカメラ部１ｂの光軸を傾くことなく高精度に位置設定でき、優れた撮影機能を確保できる。
【００２８】
また、中間部材３をハウジング２の突起２ｂを介して接地してあることから、カメラモジュール１の電気的保護を実現でき、信頼性の高い装置とすることができる。
【００２９】
また、中間部材３の脚部３ｂを開口３ａの周縁に形成したので、中間部材３の開口３ａに関連させて、例えば開口３ａの形成と同時に４つの脚部３ｂを形成することができ、この中間部材３の製作が容易である。また、脚部３ｂのそれぞれを、カメラモジュール１の４個所の上面部分１ｃに対応するように等間隔で配置してあることから、安定した押圧力をカメラモジュール１に与えることができる。
【００３０】
また、基板５が取付けられる筐体４に対しても、この筐体４の押圧部材４ｂを介してカメラモジュール１を傾くことなく配置でき、優れた撮影機能の確保に貢献する。
【００３１】
さらに、塵埃や異物の侵入を透明窓４ａによって防止でき、これらの塵埃や異物からのカメラモジュール１、及び接触部１ａとコンタクト端子２ａ等の電気接続部分の保護を実現できる。
【００３２】
図４は本発明の第２実施形態を示す分解斜視図、図５は本発明の第２実施形態の縦断面図である。
【００３３】
この第２実施形態は特に、中間部材３と筐体４との間にゴム等から成る弾性部材６を配置してあり、この弾性部材６を介して中間部材３が押圧される構成にしてある。弾性部材６は、例えば板体から成り、カメラモジュール１の突出部、すなわちカメラ部１ｂが挿通する開口６ａを有している。その他の構成は、前述した第１実施形態における構成と例えば同等である。
【００３４】
このように構成した第２実施形態も、弾性部材６を介して押圧された中間部材３の脚部３ｂのそれぞれによってカメラモジュール１の上面部分１ｃの対応するものが押圧されて、このカメラモジュール１がハウジング２内の所定位置に装着されるようになっている。これにより、前述した第１実施形態におけるのと同等の作用効果が得られる。
【００３５】
また特に、この第２実施形態では、図５に示すように、ハウジング２内にカメラモジュール１が組み込まれている状態において、振動や衝撃が与えられた場合には、これらの振動や衝撃を弾性部材６で吸収でき、これらの振動や衝撃からのカメラモジュール１、及び接触部１ａとコンタクト端子２ａ等の電気接続部分の保護を実現できる。
【００３６】
なお、上記実施形態にあっては、筐体４に透明窓４ａを備えているが、このような透明窓４ａを設けずに単に開口を形成するようにしてもよい。また、上記では筐体４の下側部分に形成される押圧部材４ｂを円環状にしたが、本発明は、このような円環状にすることには限られない。この押圧部材４ｂを例えば脚部形状にしてもよい。
【図面の簡単な説明】
【００３７】
【図１】本発明に係る電気部品用ソケット装置の第１実施形態を示す分解斜視図である。
【図２】本発明の第１実施形態の縦断面図である。
【図３】本発明の第１実施形態に備えられる中間部材を示す図で、（ａ）図は斜視図、（ｂ）図は平面図、（ｃ）図は側面図、（ｄ）図は裏面図である。
【図４】本発明の第２実施形態を示す分解斜視図である。
【図５】本発明の第２実施形態の縦断面図である。
【図６】特許文献１に示される第１従来技術において電気部品組み込み時の状態を示す縦断面図である。
【図７】特許文献２に示される第２従来技術において電気部品組み込み時の状態を示す縦断面図である。
【符号の説明】
【００３８】
１    カメラモジュール（電気部品）
１ａ  接触部
１ｂ  カメラ部（突出部）
１ｃ  上面部分
２    ハウジング
２ａ  コンタクト端子
２ｂ  突起
３    中間部材
３ａ  開口
３ｂ  脚部（押圧部）
３ｃ  長穴
４    筐体
４ａ  透明窓
４ｂ  押圧部材
５    基板
６    弾性部材
６ａ  開口
【図１】
2005339830.tif 000003
【図２】
2005339830.tif 000004
【図３】
2005339830.tif 000005
【図４】
2005339830.tif 000006
【図５】
2005339830.tif 000007
【図６】
2005339830.tif 000008
【図７】
2005339830.tif 000009